(57)【要約】【課題】  消費者の鼻の大小、高低等に応じて、ノーズパッドの取付け位置、取付け角度等の調整が可能なノーズパッド組立体を提供する。【解決手段】  一端部がメガネフレームのフロント部の嵌合穴に嵌合されるパッド足２と、パッド足２の他端部に取り付けられるノーズパッド１５とを備える。パッド足２の一端部には、軸線と直交する方向を向く凹部６、凸部７が軸線方向に連続して設けられ、この凹部６及び凸部７により抜け防止手段５が構成される。パッド足２の一端部には、軸線方向を向く凸部９が設けられ、この凸部９によって回転防止手段８が構成される。パッド足２の一端部をフロント部の嵌合穴に嵌合させると、抜け防止手段５の凹部６及び凸部７、回転防止手段８の凸部９が嵌合穴の内面に食い込み、パッド足２の抜け、回転が防止される。消費者に応じて嵌合穴の位置、パッド足２の嵌合角度を調整できる。【選択図】        図１
2005258037.tif 000002
【特許請求の範囲】
【請求項１】
メガネフレームのフロント部に取り付けられるノーズパッド組立体であって、一端部が前記フロント部に設けられた嵌合穴内に嵌合されるパッド足と、該パッド足の他端部に取り付けられるノーズパッドとを備え、前記パッド足の一端部の表面に、前記嵌合穴の内面に食い込み可能な抜け防止手段を設けたことを特徴とするノーズパッド組立体。
【請求項２】
前記抜け防止手段は、前記パッド足の一端部の表面に設けられた凹部、凸部又は凹凸部であることを特徴とする請求項１に記載のノーズパッド組立体。
【請求項３】
前記凹部、凸部及び凹凸部は、前記パッド足の周方向に長く形成されていることを特徴とする請求項２に記載のノーズパッド組立体。
【請求項４】
前記パッド足の一端部の表面に、前記嵌合穴の内面に食い込み可能な回転防止手段を設けたことを特徴とする請求項１から３の何れかに記載のノーズパッド組立体。
【請求項５】
前記回転防止手段は、前記パッド足の一端部の表面に設けられた凸部、凹部又は凹凸部であることを特徴とする請求項４に記載のノーズパッド組立体。
【請求項６】
前記凸部、凹部及び凹凸部は、前記パッド足の軸線方向に長く形成されていることを特徴とする請求項５に記載のノーズパッド組立体。
【請求項７】
前記パッド足の他端部にはパッド取付部が設けられ、該パッド取付部に前記ノーズパッドがパッド取付手段を介して取り付けられることを特徴とする請求項１から６の何れかに記載のノーズパッド組立体。
【請求項８】
前記パッド取付手段は、前記パッド取付部にねじによって固定される前記ノーズパッドに設けられる芯金であることを特徴とする請求項７に記載のノーズパッド組立体。
【請求項９】
前記パッド取付手段は、前記ノーズパッドに設けられる前記パッド取付部を嵌合させる溝であることを特徴とする請求項７に記載のノーズパッド組立体。
【請求項１０】
前記パッド取付部にばね力を付与したことを特徴とする請求項９に記載のノーズパッド組立体。
【請求項１１】
前記パッド取付部に少なくとも１つの凸部又は凹部を設けるとともに、該凸部又は凹部に対応する前記ノーズパッドの溝の部分に該凸部又は凹部と相互に嵌合可能な凹部又は凸部を設けたことを特徴とする請求項９又は１０に記載のノーズパッド組立体。
【請求項１２】
前記メガネフレームのフロント部の嵌合穴及びその周縁部の硬度を前記パッド足の一端部の硬度よりも大きく設定するとともに、嵌合穴の内径をパッド足の一端部の直径よりも小さく設定したことを特徴とする請求項１から１１の何れかに記載のノーズパッド組立体。
【請求項１３】
前記嵌合穴に接着剤を充填し、この状態で前記パッド足の一端部を嵌合穴内に嵌合させたことを特徴とする請求項１から１２の何れかに記載のノーズパッド組立体。
【請求項１４】
前記メガネフレームのフロント部は樹脂又は金属からなり、前記パッド足は樹脂又は金属からなることを特徴とする請求項１から１３の何れかに記載のノーズパッド組立体。
【発明の詳細な説明】
【技術分野】
【０００１】
本発明は、ノーズパッド組立体に関し、特に、メガネフレームのフロント部へのノーズパッドの取付け位置、取付け角度等の設定が可能であるとともに、ノーズパッドの取付け位置、取付け角度の微調整が可能なノーズパッド組立体に関するものである。
【背景技術】
【０００２】
メガネフレームは、レンズを保持する一対のレンズ保持枠、レンズ保持枠の内縁部間を連結するブリッジ、各レンズ保持枠の外縁部に蝶番を介して開閉自在に連結されるテンプル等の複数の部品から構成されている。
【０００３】
これらの複数の構成部品からなるメガネフレームのフロント部（ブリッジ、両レンズ保持枠）には、一対の鼻当て用のノーズパッドが設けられ、顔に装着したときに、一対のノーズパッドを鼻の両側面に当接させ、両テンプルを両耳に係止させることにより、メガネフレームを顔の所定の位置に保持することができるものである。
【０００４】
ところで、上記のような構成のメガネフレームのうち、樹脂製のメガネフレームにあっては、フロント部の両レンズ保持枠及びブリッジを一体に形成するとともに、各レンズ保持枠の内縁部にノーズパッドを接着等により一体に接合している。
【０００５】
このため、ノーズパッドの取付け位置、ノーズパッド間の間隔、取付け角度等は製造の段階で設定されてしまい、消費者が購入する際に、消費者の鼻の大小、高低等に応じて、ノーズパッドの取付け位置、間隔、取付け角度等を設定することができず、あらゆる人に良好な装着感を与えることができない（特許文献１参照。）。
【特許文献１】特開２０００−２９２６０６号公報
【発明の開示】
【発明が解決しようとする課題】
【０００６】
本発明は、上記のような従来の問題を解決したものであって、消費者の鼻の大小、高低等に応じて、ノーズパッドの取付け位置、間隔、取付け角度等を設定することができ、これにより、あらゆる人に良好な装着感を与えることができるノーズパッド組立体を提供することを目的とするものである。
【課題を解決するための手段】
【０００７】
上記のような課題を解決するために、本発明の請求項１に係るノーズパッド組立体は、メガネフレームのフロント部に取り付けられるノーズパッド組立体であって、一端部が前記フロント部に設けられた嵌合穴内に嵌合されるパッド足と、該パッド足の他端部に取り付けられるノーズパッドとを備え、前記パッド足の一端部の表面に、前記嵌合穴の内面に食い込み可能な抜け防止手段を設けた手段を採用している。
【０００８】
また、本発明の請求項２に係るノーズパッド組立体は、請求項１に記載のノーズパッド組立体であって、前記抜け防止手段は、前記パッド足の一端部の表面に設けられた凹部、凸部又は凹凸部である手段を採用している。
【０００９】
さらに、本発明の請求項３に係るノーズパッド組立体は、請求項２に記載のノーズパッド組立体であって、前記凹部、凸部及び凹凸部は、前記パッド足の周方向に長く形成されている手段を採用している。
【００１０】
さらに、本発明の請求項４に係るノーズパッド組立体は、請求項１から３の何れかに記載のノーズパッド組立体であって、前記パッド足の一端部の表面に、前記嵌合穴の内面に食い込み可能な回転防止手段を設けた手段を採用している。
【００１１】
さらに、本発明の請求項５に係るノーズパッド組立体は、請求項４に記載のノーズパッド組立体であって、前記回転防止手段は、前記パッド足の一端部の表面に設けられた凸部、凹部又は凹凸部である手段を採用している。
【００１２】
さらに、本発明の請求項６に係るノーズパッド組立体は、請求項５に記載のノーズパッド組立体であって、前記凸部、凹部及び凹凸部は、前記パッド足の軸線方向に長く形成されている手段を採用している。
【００１３】
さらに、本発明の請求項７に係るノーズパッド組立体は、請求項１から６の何れかに記載のノーズパッド組立体であって、前記パッド足の他端部にはパッド取付部が設けられ、該パッド取付部に前記ノーズパッドがパッド取付手段を介して取り付けられる手段を採用している。
【００１４】
さらに、本発明の請求項８に係るノーズパッド組立体は、請求項７に記載のノーズパッド組立体であって、前記パッド取付手段は、前記パッド取付部にねじによって固定される前記ノーズパッドに設けられる芯金である手段を採用している。
【００１５】
さらに、本発明の請求項９に係るノーズパッド組立体は、請求項７に記載のノーズパッド組立体であって、前記パッド取付手段は、前記ノーズパッドに設けられる前記パッド取付部を嵌合させる溝である手段を採用している。
【００１６】
さらに、本発明の請求項１０に係るノーズパッド組立体は、請求項９に記載のノーズパッド組立体であって、前記パッド取付部にばね力を付与した手段を採用している。
【００１７】
さらに、本発明の請求項１１に係るノーズパッド組立体は、請求項９又は１０に記載のノーズパッド組立体であって、前記パッド取付部に少なくとも１つの凸部又は凹部を設けるとともに、該凸部又は凹部に対応する前記ノーズパッドの溝の部分に該凸部又は凹部と相互に嵌合可能な凹部又は凸部を設けた手段を採用している。
【００１８】
さらに、本発明の請求項１２に係るノーズパッド組立体は、請求項１から１１の何れかに記載のノーズパッド組立体であって、前記メガネフレームのフロント部の嵌合穴及びその周縁部の硬度を前記パッド足の一端部の硬度よりも大きく設定するとともに、嵌合穴の内径をパッド足の一端部の直径よりも小さく設定した手段を採用している。
【００１９】
さらに、本発明の請求項１３に係るノーズパッド組立体は、請求項１から１２の何れかに記載のノーズパッド組立体であって、前記嵌合穴に接着剤を充填し、この状態で前記パッド足の一端部を嵌合穴内に嵌合させた手段を採用している。
【００２０】
さらに、本発明の請求項１４に係るノーズパッド組立体は、請求項１から１３の何れかに記載のノーズパッド組立体であって、前記メガネフレームのフロント部は樹脂又は金属からなり、前記パッド足は樹脂又は金属からなる手段を採用している。
【発明の効果】
【００２１】
本発明は、前記のように構成して、パッド足の嵌合部の表面に抜け防止手段（凹部、凸部又は凹凸部）を設け、嵌合部をメガネフレームのフロント部の嵌合穴内に嵌合させたときに、この抜け防止手段（凹部、凸部又は凹凸部）を嵌合穴の内面に食い込ませるようにしたので、使用中にパッド足が抜けるようなことはない。従って、ノーズパッドとしての機能を十分に発揮させることができる。
また、パッド足の嵌合部の表面に回転防止手段（凹部、凸部又は凹凸部）を設け、嵌合部をメガネフレームのフロント部の嵌合穴に嵌合させたときに、この回転防止手段（凹部、凸部又は凹凸部）を嵌合穴の内面に食い込ませるようにしたので、使用中にパッド足がフロント部に対して相対的に回転するようなことはない。従って、ノーズパッドとしての機能を十分に発揮させることができる。
さらに、消費者の鼻の大小、高低等に応じて、メガネフレームのフロント部に設ける嵌合穴の位置、嵌合穴内に嵌合させるパッド足の嵌合角度等を調整することができるので、あらゆる消費者にとって良好な装着感を提供することができる。
さらに、パッド足のパッド取付部にパッド取付手段を介してノーズパッドを取り付けることができるので、ノーズパッドの取付けが容易となる。
【発明を実施するための最良の形態】
【００２２】
以下、図面に示す本発明の実施の形態について説明する。
図１〜図７には、本発明によるノーズパッド組立体の第１の実施の形態が示されている。図１はノーズパッド組立体の全体を示す斜視図、図２は図１の部分拡大平面図、図３は図１のノーズパッド組立体をメガネフレームのフロント部に取り付ける前の状態を示す説明図、図４は図１のノーズパッド組立体をメガネフレームのフロント部に取り付けた後の状態を示す説明図、図５は図４の部分拡大断面図、図６は図１のノーズパッドの斜視図、図７は図４のパッド取付部の断面図である。
【００２３】
すなわち、この実施の形態に示すノーズパッド組立体１は、パッド足２と、パッド足２に取り付けられるノーズパッド１５とを備えている。パッド足２は、合成樹脂製又は金属製の丸棒状のものを材料とし、この材料の長手方向の一端部を略直角に屈曲させて、その部分に嵌合部３を形成するとともに、この材料の長手方向の他端部を嵌合部３と反対方向に略環状に屈曲させて、その部分にパッド取付部１０を形成したものである。パッド足２は、後述するメガネフレーム２０のフロント部２３よりも硬度の高い（大きい）材料で形成される。
【００２４】
パッド足２の嵌合部３の根元部には、径方向外方に環状に張り出るストッパー部４が一体に設けられる。この嵌合部３を後述するフロント部２３の嵌合穴２４内に嵌合させた際に、このストッパー部４の端面がフロント部２３の表面に当接することにより、嵌合部３の嵌合穴２４へのそれ以上の進入が阻止される。
【００２５】
パッド足２の嵌合部３の周面には、抜け防止手段５と回転防止手段８とが一体に設けられている。
抜け防止手段５は、図１及び図２に示すように、嵌合部３の表面に周方向を向く凹部６及び凸部７を軸方向に沿って交互に連続して設けて構成したものである。嵌合部３をフロント部２３の嵌合穴２４内に嵌合させたときに、図５に示すように、この凹部６及び凸部７が嵌合穴２４の内面に食い込むことにより、嵌合部３が嵌合穴２４から抜け出るのが防止される。すなわち、パッド足２の嵌合部３の硬度を嵌合穴２４を構成するフロント部２３の硬度よりも高く設定するとともに、嵌合穴２４の内径を嵌合部３の直径よりも小さく設定することにより、嵌合穴２４の内面に嵌合部３の凹部６及び凸部７を食い込ませることができる。
【００２６】
各凹部６及び凸部７は、嵌合部３の全周に渡って設けられるとともに、嵌合部３の軸線と直交するように設けられている。この実施の形態においては、図５に示すように、凹部６及び凸部７を断面三角形状に形成しているが、図８に示すように断面四角形状に形成しても良いし、図９に示すように楔状に形成しても良い。また、この実施の形態においては、凹部６及び凸部７を嵌合部３の表面の全体に設けているが、表面の一部のみに設けるようにしても良い。
【００２７】
回転防止手段８は、図１及び図２に示すように、嵌合部３の表面に軸線方向を向く凸部９を一体に設けて構成したものである。この実施の形態においては、嵌合部３の軸芯を中心として相対する位置にそれぞれ凸部９、９を設けている。嵌合部３をフロント部２３の嵌合穴２４内に嵌合させたときに、この凸部９、９が嵌合穴２４の内面に食い込むことにより、嵌合部３が嵌合穴２４に対して相対的に回転するのが防止される。すなわち、回転防止手段８の凸部９の硬度を嵌合穴２４を構成するフロント部２３の硬度よりも高く設定することにより、嵌合穴２４の内面に回転防止手段８の凸部９を食い込ませることができる。
【００２８】
凸部９の形状は、特に限定されるものではなく、断面三角形状、四角形状等（この実施の形態においては断面四角形状）とすることができる。凸部９は、この実施の形態のように、嵌合部３の全長に渡って設けても良いし、図示はしないが一部にのみ設けても良い。凸部９は、この実施の形態においては、嵌合部３の表面の２箇所に設けているが、嵌合部３の表面の１箇所のみに設けても良いし、３箇所以上に設けても良い。
【００２９】
パッド足２の他端部は、図１に示すように、嵌合部３と反対方向に環状に屈曲されて、その部分に上部が開口する円環状のパッド取付部１０が設けられ、このパッド取付部１０にパッド取付手段１９を介してノーズパッド１５が取り付けられる。
【００３０】
パッド取付手段１９は、後述するノーズパッド１５に設けられる溝１８であって、この溝１８内にパッド取付部１０を嵌合させることにより、パッド足２にノーズパッド１５が取り付けられる。
【００３１】
ノーズパッド１５は、シリコン等から形成されるものであって、図６に示すように、パッド部１６と、パッド部１６に一体に設けられる脚部１７とを備えている。脚部１７の根元部には、所定の幅、深さの溝１８が全周に渡って設けられ、この溝１８がパッド取付手段１９として機能している。
【００３２】
パッド取付部１０の内面には、図１に示すように、内方に突出する半球状の一対の突起１１、１１が対向する位置に一体に設けられ、この突起１１、１１がノーズパッド１５の溝１８の底面に圧接され（図７参照）、ノーズパッド１５がパッド取付部１０から脱落するのが防止される。なお、突起１１、１１に対応する溝１８の部分に凹部（図示せず）を設け、この凹部内に突起１１、１１を嵌合させるようにしても良い。また、パッド取付部１０にばね力を付与し、ばね力によってパッド取付部１０を溝１８の底面に圧接しても良い。
【００３３】
パッド取付部１０の形状は、特に限定されるものではなく、例えば、図１２に示すように、下端が開口する円環状に形成しても良いし、図１３に示すように、細長い環状に形成し、その部分にばね力を付与しても良いし、図１６に示すように円環状に形成し、その部分にばね力を付与しても良い。図１３及び図１６の形状に形成した場合には、係合突起は設けても設けなくても良い。
【００３４】
ノーズパッド１５の形状は、特に限定されるものではなく、図１０に示すように、円形板状のパッド部１６に脚部１７を一体に設けたもの、図１１に示すように、略楕円形板状のパッド部１６に芯金を一体に設け、パッド部１６から突出させた芯金の部分で脚部１７を構成したもの等が挙げられる。但し、これらに限らず、他のタイプのノーズパッドであっても良い。なお、図１０に示すものは、脚部１７の根元部の溝１８がパッド取付手段１９として機能し、図１１に示すものは芯金がパッド取付手段１９として機能する。
【００３５】
メガネフレーム２０は、図３及び図４に示すように、一対のレンズ保持枠２１、２１、レンズ保持枠２１、２１の内縁部間を一体に連結するブリッジ２２、各レンズ保持枠２１の外縁部に蝶番（図示せず）を介して開閉自在に連結されるテンプル（図示せず）等の複数の部品から構成されている。
【００３６】
一対のレンズ保持枠２１、２１及びブリッジ２２によってフロント部２３が構成される。フロント部２３の硬度はパッド足２の硬度よりも低く（小さく）設定される。フロント部２３のブリッジ２２の根元部にはそれぞれ嵌合穴２４が設けられる。この嵌合穴２４の内径はパッド足２の嵌合部３の直径よりも小さく設定される。嵌合穴２４の内径とパッド足２の嵌合部３の直径との寸法公差は、フロント部２３の材質、硬度、パッド足２の材質、硬度等を考慮し、適宜の値に設定すれば良い。この実施の形態においては、フロント部を樹脂で形成しているが、金属で形成しても良い。
【００３７】
そして、上記のように構成したパッド足２の嵌合部３を、図３及び図４に示すように、メガネフレーム２０のフロント部２３の嵌合穴２４内に嵌合させることにより、パッド足２の嵌合部３の抜け防止手段５の凹部６及び凸部７、及び回転防止手段８の凸部９が嵌合穴２４の内面に食い込み、パッド足２がメガネフレーム２０のフロント部２３に取り付けられる。この場合、必要に応じて、嵌合穴２４内に接着剤を充填し、その上で嵌合穴２４内にパッド足２の嵌合部３を嵌合させても良い。なお、パッド足２の嵌合部３をフロント部２３の嵌合穴２４内に嵌合させる際に、必要に応じて、嵌合穴２４の周縁部を加熱して熱膨張させ、その状態でパッド足２の嵌合部３を嵌合穴２４内に嵌合させるように構成しても良い。
【００３８】
上記のように構成したこの実施の形態によるノーズパッド組立体１にあっては、パッド足２の嵌合部３の抜け防止手段５の凹部６及び凸部７、及び回転防止手段８の凸部９が嵌合穴２４の内面に食い込むことになるので、使用中にノーズパッド組立体１がフロント部２３から抜け落ちたり、フロント部２３に対して相対的に回転するようなことはない。
【００３９】
また、消費者の鼻の大小、高低等に応じて、メガネフレーム２０のフロント部２３に設ける嵌合穴２４の位置を調整し、その嵌合穴２４内に消費者の鼻の大小、高低等に応じて所定の角度でパッド足２の嵌合部３を嵌合させることができるので、あらゆる消費者に対して良好な装着感を提供することができる。
【００４０】
なお、この実施の形態においては、凹部６及び凸部７によって抜け防止手段５を構成したが、図示はしないが、凹部又は凸部によって抜け防止手段を構成しても良い。
【００４１】
図１３〜図１６には、本発明によるノーズパッド組立体の第２の実施の形態が示されていて、図１３はパッド足の全体の平面図、図１４は図１３の部分拡大図、図１５は図１４の側面図、図１６はパッド取付部の変形例を示した平面図である。
【００４２】
すなわち、このノーズパッド組立体１は、パッド足２の嵌合部３の表面に抜け防止手段５として凹部１２を設けたものであって、その他の構成は前記第１の実施の形態に示すものと同様であるので、前記第１の実施の形態に示すものと同一の部分には同一の番号を付してその詳細な説明は省略するものとする。
【００４３】
抜け防止手段５の凹部１２は、嵌合部３の周方向に長い楕円形状に形成され、パッド足２の軸芯を中心として対向する位置に、それぞれに軸方向に沿って所定の間隔ごとに３箇所（合計６箇所）に設けられている。
【００４４】
凹部１２の形状は、楕円形状に限らず、他の形状としても良い。要は、周方向に長く形成すれば良い。また、凹部１２は、６箇所に限らず、５箇所以下、７箇所以上に設けても良い。
【００４５】
そして、上記のように構成したこの実施の形態によるノーズパッド組立体１のパッド足２の嵌合部３を、前記第１の実施の形態に示すものと同様に、メガネフレーム２０のフロント部２３の嵌合穴２４内に嵌合させることにより、嵌合部３の表面の抜け防止手段５の凹部１２、及び回転防止手段８の凸部９が嵌合穴２４の内面に食い込み、パッド足２がメガネフレーム２０のフロント部２３に取り付けられる。この場合、必要に応じて、嵌合穴２４内に接着剤を充填し、その上で嵌合穴２４内にパッド足２の嵌合部３を嵌合させても良い。
【００４６】
上記のように構成したこの実施の形態によるノーズパッド組立体１にあっても、前記第１の実施の形態に示すものと同様に、パッド足２の嵌合部３の抜け防止手段５の凹部１２、及び回転防止手段８の凸部９が嵌合穴２４の内面に食い込んでいるので、使用中にノーズパッド組立体１がフロント部２３から抜け落ちたり、フロント部２３に対して相対的に回転するようなことはない。
【００４７】
また、消費者の鼻の大小、高低等に応じて、メガネフレーム２０のフロント部２３に設ける嵌合穴２４の位置、及び嵌合角度を調整できるので、あらゆる消費者に対して良好な装着感を提供することができる。
【００４８】
なお、この実施の形態においては、抜け防止手段５を周方向に長い楕円形状の凹部１２によって構成したが、図示はしないが、周方向に長い凸部又は凹部及び凸部によって抜け防止手段を構成しても良い。
【００４９】
また、この実施の形態においては、パッド取付部１０を細長い環状に形成して、パッド取付部１０にばね力を付与し、このばね力によってノーズパッドの脚部を保持しているが、パッド取付部１０を、図１６に示すように、円環状に形成しても良い。
【００５０】
なお、前記各実施の形態においては、パッド足２の嵌合部３を丸棒状に形成したが、図示はしないが嵌合部３を多面形状（四角形状、六角形状、八角形状等）に形成しても良い。
【図面の簡単な説明】
【００５１】
【図１】本発明によるノーズパッド組立体の第１の実施の形態を示した斜視図である。
【図２】図１の部分拡大平面図である。
【図３】図１のノーズパッド組立体をメガネフレームのフロント部に取り付ける前の状態を示した説明図である。
【図４】図１のノーズパッド組立体をメガネフレームのフロント部に取り付けた後の状態を示した説明図である。
【図５】図４の部分拡大断面図である。
【図６】図１及び図４のノーズパッドの斜視図である。
【図７】図４のパッド取付部の断面図である。
【図８】パッド足の嵌合部の他の例を示した部分拡大断面図である。
【図９】パッド足の嵌合部の他の例を示した部分拡大断面図である。
【図１０】ノーズパッドの他の例を示した斜視図である。
【図１１】ノーズパッドの他の例を示した斜視図である。
【図１２】パッド取付部の他の例を示した斜視図である。
【図１３】本発明によるノーズパッド組立体の第２の実施の形態を示した平面図であって、パッド足の平面図である。
【図１４】図１３の部分拡大図である。
【図１５】図１４の側面図である。
【図１６】パッド取付部の他の例を示した平面図である。
【符号の説明】
【００５２】
１  ノーズパッド組立体
２  パッド足
３  嵌合部
４  ストッパー部
５  抜け防止手段
６  凹部
７  凸部
８  回転防止手段
９  凸部
１０  パッド取付部
１１  突起
１２  凹部
１５  ノーズパッド
１６  パッド部
１７  脚部
１８  溝
１９  パッド取付手段
２０  メガネフレーム
２１  レンズ保持枠
２２  ブリッジ
２３  フロント部
２４  嵌合穴
【図１】
2005258037.tif 000003
【図２】
2005258037.tif 000004
【図３】
2005258037.tif 000005
【図４】
2005258037.tif 000006
【図５】
2005258037.tif 000007
【図６】
2005258037.tif 000008
【図７】
2005258037.tif 000009
【図８】
2005258037.tif 000010
【図９】
2005258037.tif 000011
【図１０】
2005258037.tif 000012
【図１１】
2005258037.tif 000013
【図１２】
2005258037.tif 000014
【図１３】
2005258037.tif 000015
【図１４】
2005258037.tif 000016
【図１５】
2005258037.tif 000017
【図１６】
2005258037.tif 000018